【手続補正書】
【提出日】平成16年7月6日(2004.7.6)
【手続補正１】
【補正対象書類名】明細書
【補正対象項目名】特許請求の範囲
【補正方法】変更
【補正の内容】
【特許請求の範囲】
【請求項１】
第１および第２の表示手段を有し、複数の電源に接続可能である記録再生装置において、
接続された前記電源の種類を検出する電源種類検出手段と、
前記第１および第２の表示手段のいずれか一方を駆動する第１の制御シーケンスと、前記第１および第２の表示手段を共に駆動する第２の制御シーケンスとを含む複数の制御シーケンスの中から、前記検出手段によって検出された前記電源の種類にしたがって、１つの制御シーケンスを選択する選択手段と、
該選択された制御シーケンスにしたがって、表示動作を切り替える動作切替手段とを備えたことを特徴とする記録再生装置。
【請求項２】
第１および第２の表示手段を有し、複数の電源に接続可能である記録再生装置において、
接続された前記電源の容量を検出する電源容量検出手段と、
前記第１および第２の表示手段のいずれか一方を駆動する第１の制御シーケンスと、前記第１および第２の表示手段を共に駆動する第２の制御シーケンスとを含む複数の制御シーケンスの中から、前記電源容量検出手段によって検出された前記電源の容量にしたがって、１つの制御シーケンスを選択する選択手段と、
該選択された制御シーケンスにしたがって、表示動作を切り替える動作切替手段とを備えたことを特徴とする記録再生装置。
【請求項３】
記録媒体を記録時のｎ倍速で給送する高速給送モードを有し、複数の電源に接続可能である記録再生装置において、
接続された前記電源の種類を検出する電源種類検出手段と、
前記ｎ倍速データとしてｎ１が設定され、該設定されたｎ１倍速データにしたがってｎ１倍速で前記記録媒体を給送する第１の制御シーケンスと、前記ｎ倍速データとしてｎ１より大きいｎ２が設定され、該設定されたｎ２倍速データにしたがってｎ２倍速で前記記録媒体を給送する第２の制御シーケンスとを含む複数の制御シーケンスの中から、前記検出手段によって検出された前記電源の種類にしたがって、１つの制御シーケンスを選択する選択手段と、
該選択された制御シーケンスにしたがって、給送動作を切り替える動作切替手段とを備えたことを特徴とする記録再生装置。
【請求項４】
記録媒体を記録時のｎ倍速で給送する高速給送モードを有し、複数の電源に接続可能である記録再生装置において、
接続された前記電源の容量を検出する電源容量検出手段と、
前記ｎ倍速データとしてｎ１が設定され、該設定されたｎ１倍速データにしたがってｎ１倍速で前記記録媒体を給送する第１の制御シーケンスと、前記ｎ倍速データとしてｎ１より大きいｎ２が設定され、該設定されたｎ２倍速データにしたがってｎ２倍速で前記記録媒体を給送する第２の制御シーケンスとを含む複数の制御シーケンスの中から、前記電源容量検出手段によって検出された前記電源の容量にしたがって、１つの制御シーケンスを選択する選択手段と、
該選択された制御シーケンスにしたがって、給送動作を切り替える動作切替手段とを備えたことを特徴とする記録再生装置。
【請求項５】
複数の電源に接続可能である記録再生装置において、
接続された前記電源の種類を検出する電源種類検出手段と、
接続された前記電源の容量を検出する電源容量検出手段と、
前記複数の電源のそれぞれに応じた複数の制御シーケンスを有する制御手段と、
前記電源種類検出手段および前記電源容量検出手段の検出結果にしたがって、前記複数の制御シーケンスの中から１つの制御シーケンスを選択する選択手段と、
該選択された制御シーケンスにしたがって、動作を切り替える動作切替手段とを備えたことを特徴とする記録再生装置。
【請求項６】
カメラ一体型ＶＴＲに適用されたことを特徴とする請求項１乃至請求項５のいずれかに記載の記録再生装置。
【請求項７】
複数の電源に接続可能である記録再生装置の動作切替方法において、
前記複数の電源のそれぞれに応じた複数の制御シーケンスを設けておき、
接続された前記電源の種類を検出し、
該検出された前記電源の種類にしたがって、前記複数の制御シーケンスの中から１つの制御シーケンスを選択し、
該選択された制御シーケンスにしたがって、動作を切り替えることを特徴とする記録再生装置の動作切替方法。
【手続補正２】
【補正対象書類名】明細書
【補正対象項目名】００１７
【補正方法】変更
【補正の内容】
【００１７】
【課題を解決するための手段】
上記目的を達成するために、本発明の請求項１に記載の記録再生装置は、第１および第２の表示手段を有し、複数の電源に接続可能である記録再生装置において、接続された前記電源の種類を検出する電源種類検出手段と、前記第１および第２の表示手段のいずれか一方を駆動する第１の制御シーケンスと、前記第１および第２の表示手段を共に駆動する第２の制御シーケンスとを含む複数の制御シーケンスの中から、前記検出手段によって検出された前記電源の種類にしたがって、１つの制御シーケンスを選択する選択手段と、該選択された制御シーケンスにしたがって、表示動作を切り替える動作切替手段とを備えたことを特徴とする。
【手続補正３】
【補正対象書類名】明細書
【補正対象項目名】００１８
【補正方法】変更
【補正の内容】
【００１８】
請求項２に記載の記録再生装置は、第１および第２の表示手段を有し、複数の電源に接続可能である記録再生装置において、接続された前記電源の容量を検出する電源容量検出手段と、前記第１および第２の表示手段のいずれか一方を駆動する第１の制御シーケンスと、前記第１および第２の表示手段を共に駆動する第２の制御シーケンスとを含む複数の制御シーケンスの中から、前記電源容量検出手段によって検出された前記電源の容量にしたがって、１つの制御シーケンスを選択する選択手段と、該選択された制御シーケンスにしたがって、表示動作を切り替える動作切替手段とを備えたことを特徴とする。
請求項３に記載の記録再生装置は、記録媒体を記録時のｎ倍速で給送する高速給送モードを有し、複数の電源に接続可能である記録再生装置において、接続された前記電源の種類を検出する電源種類検出手段と、前記ｎ倍速データとしてｎ１が設定され、該設定されたｎ１倍速データにしたがってｎ１倍速で前記記録媒体を給送する第１の制御シーケンスと、前記ｎ倍速データとしてｎ１より大きいｎ２が設定され、該設定されたｎ２倍速データにしたがってｎ２倍速で前記記録媒体を給送する第２の制御シーケンスとを含む複数の制御シーケンスの中から、前記検出手段によって検出された前記電源の種類にしたがって、１つの制御シーケンスを選択する選択手段と、該選択された制御シーケンスにしたがって、給送動作を切り替える動作切替手段とを備えたことを特徴とする。
請求項４に記載の記録再生装置は、記録媒体を記録時のｎ倍速で給送する高速給送モードを有し、複数の電源に接続可能である記録再生装置において、接続された前記電源の容量を検出する電源容量検出手段と、前記ｎ倍速データとしてｎ１が設定され、該設定されたｎ１倍速データにしたがってｎ１倍速で前記記録媒体を給送する第１の制御シーケンスと、前記ｎ倍速データとしてｎ１より大きいｎ２が設定され、該設定されたｎ２倍速データにしたがってｎ２倍速で前記記録媒体を給送する第２の制御シーケンスとを含む複数の制御シーケンスの中から、前記電源容量検出手段によって検出された前記電源の容量にしたがって、１つの制御シーケンスを選択する選択手段と、該選択された制御シーケンスにしたがって、給送動作を切り替える動作切替手段とを備えたことを特徴とする。
【手続補正４】
【補正対象書類名】明細書
【補正対象項目名】００１９
【補正方法】変更
【補正の内容】
【００１９】
請求項５に記載の記録再生装置は、複数の電源に接続可能である記録再生装置において、接続された前記電源の種類を検出する電源種類検出手段と、接続された前記電源の容量を検出する電源容量検出手段と、前記複数の電源のそれぞれに応じた複数の制御シーケンスを有する制御手段と、前記電源種類検出手段および前記電源容量検出手段の検出結果にしたがって、前記複数の制御シーケンスの中から１つの制御シーケンスを選択する選択手段と、該選択された制御シーケンスにしたがって、動作を切り替える動作切替手段とを備えたことを特徴とする。
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】変更
【補正の内容】
【００２２】
請求項６に記載の記録再生装置は、請求項１乃至請求項５のいずれかに係る記録再生装置においてカメラ一体型ＶＴＲに適用されたことを特徴とする。
【手続補正８】
【補正対象書類名】明細書
【補正対象項目名】００５１
【補正方法】変更
【補正の内容】
【００５１】
【発明の効果】
本発明の請求項１に記載の記録再生装置によれば、電源の種類を検出することにより電源の性能に応じた最適な表示制御を行うことができる。例えば、電源としてＡＣアダプタ電源を用いた場合には操作性を考慮した表示制御を行うことができる。このように、映像を表示する際に省電力化を図りつつ、操作性を考慮することができる。
【手続補正９】
【補正対象書類名】明細書
【補正対象項目名】００５２
【補正方法】削除
【補正の内容】
【手続補正１０】
【補正対象書類名】明細書
【補正対象項目名】００５３
【補正方法】変更
【補正の内容】
【００５３】
請求項２に記載の記録再生装置によれば、電源の容量を検出することにより電源の性能に応じた最適な表示制御を行うことができる。また、請求項３、４に記載の記録再生装置によれば、電源としてＡＣアダプタ電源を用いた場合にはモータ本来の性能を十分に発揮した制御を行うことができる。
【手続補正１１】
【補正対象書類名】明細書
【補正対象項目名】００５４
【補正方法】変更
【補正の内容】
【００５４】
請求項５に記載の記録再生装置によれば、電源種類検出手段により接続された前記電源の種類を検出し、電源容量検出手段により接続された前記電源の容量を検出し、これらの検出結果にしたがって、選択手段により複数の制御シーケンスの中から１つの制御シーケンスを選択し、該選択された制御シーケンスにしたがって、動作切替手段により動作を切り替えるので、電源の種類および電源の容量を検出することにより電源の性能に応じた最適な制御を行うことができる。
【手続補正１２】
【補正対象書類名】明細書
【補正対象項目名】００５５
【補正方法】削除
【補正の内容】
【手続補正１３】
【補正対象書類名】明細書
【補正対象項目名】００５６
【補正方法】削除
【補正の内容】